(57)【要約】【課題】小型化を図れるカプラーを提供する。【解決手段】カプラーＣは、タイロッドＴ１が接続されるスリーブ１と、タイロッドＴ２が接続されるとともに、スリーブ１に回転可能に挿入され、スリーブ１の軸方向に沿って移動するインサート２と、スリーブ１に対してインサート２を挿入方向に回転付勢するトーションバネ３と、を備える。スリーブ１は、内周面に形成された雌ネジ部１１ｄを有する。インサート２は、外周面に形成され、スリーブ１の雌ネジ部１１ｄに螺合する雄ネジ部２１ａと、内周面に形成され、タイロッドＴ２の外周面に形成された雄ネジ部Ｔｂが螺合する雌ネジ部２３ａと、を有する。雌ネジ部１１ｄ及び雄ネジ部２１ａは、雌ネジ部２３ａに対して捩れ方向が逆向きに形成される。【選択図】図３
2014020423.tif 000002
【特許請求の範囲】
【請求項１】
一対のタイロッドの端部同士を連結するカプラーであって、
前記一方のタイロッドが接続される外筒部材と、
前記他方のタイロッドが接続されるとともに、前記外筒部材に回転可能に挿入され、前記外筒部材の軸方向に沿って移動する内筒部材と、
前記外筒部材に対して前記内筒部材を挿入方向に回転付勢する弾性部材と、を備え、
前記外筒部材は、内周面に形成された第１雌ネジ部を有し、
前記内筒部材は、外周面に形成され、前記外筒部材の前記第１雌ネジ部に螺合する第１雄ネジ部と、内周面に形成され、前記他方のタイロッドの外周面に形成された第２雄ネジ部が螺合する第２雌ネジ部と、を有し、
前記第１雌ネジ部及び前記第１雄ネジ部は、前記第２雌ネジ部に対して捩れ方向が逆向きに形成されていることを特徴とするカプラー。
【請求項２】
前記外筒部材は、軸方向に交差する方向に沿って貫通する貫通孔を更に有し、
前記貫通孔に挿脱可能に構成され、前記外筒部材の内部に突出する係止部材を更に備え、
前記係止部材は、前記内筒部材及び前記他方のタイロッドの軸方向一端に当接して前記外筒部材に対する相対移動を規制することを特徴とする請求項１に記載のカプラー。
【請求項３】
前記外筒部材の外周面には、前記係止部材を外方から覆う被覆部材が設けられていることを特徴とする請求項２に記載のカプラー。
【請求項４】
前記内筒部材の前記第１雄ネジ部及び前記第２雌ネジ部は、同一ピッチで形成されていることを特徴とする請求項１乃至請求項３のいずれか一項に記載のカプラー。
【請求項５】
前記第１雌ネジ部及び前記第１雄ネジ部は、左ネジで形成され、
前記第２雌ネジ部は、右ネジで形成されていることを特徴とする請求項１乃至請求項４のいずれか一項に記載のカプラー。
【発明の詳細な説明】
【技術分野】
【０００１】
本発明は、カプラーに関する。
【背景技術】
【０００２】
木造建築物における耐力壁の浮き上がりを防止する技術としては、耐力壁脚部及び耐力壁頭部にホールダウン金物を設置して、土台と柱及び梁と柱を緊結する方法が一般的である。
【０００３】
しかし、近年、耐力壁の高強度化や木造建築物の中層化に伴い、台風や地震の際に耐力壁端部に作用する引抜力が増大しており、既存のホールダウン金物では、耐力壁の浮き上がりを防止できない場合がある。
【０００４】
このような問題の対処方法として、最下階から多階層を貫通するようにタイロッドを設置する方法が考えられる。この方法は、各階層の上下枠や梁等に穿設された貫通孔にタイロッドを挿入するとともに、ナットによりタイロッドを各階層の梁等に締め付けて固定し、引抜力を分散支持するものである。
【０００５】
ところで、木造建築物では、柱や梁等の木材が乾燥によって経時的に収縮したり、部材同士の隙間が鉛直荷重によって縮まったりするため、建物全体の沈み込みが生じることが知られており、また、沈み込み量は、低層建築物よりも中層建築物の方が大きくなることが分かっている。そのため、中層建築物にタイロッドを用いた場合には、木材の収縮等により梁等とナットとの間に隙間が大きく生じてしまい、タイロッドの浮き上がり防止機能が発揮されず、地震等による耐力壁の浮き上がりを防止できない虞がある。
【０００６】
そこで、従来、木材の収縮等が発生した場合であっても、タイロッドの浮き上がり防止機能を発揮させるための技術が多数開発され実用化に至っている。
【０００７】
例えば、特許文献１には、上下に分割されて構成されたタイロッドの端部同士を連結するカプラーにおいて、円筒状のスリーブと、スリーブ内に挿入される円筒状の接続部材と、スリーブ内に回転可能に挿入され、スリーブの軸方向に沿って移動する円筒状の回転部材と、スリーブに対し回転部材を挿入方向に回転付勢するトーションバネと、を備えたものが開示されている。
【０００８】
特許文献１に記載のカプラーでは、スリーブの下部側内周面、接続部材の内周面、及び、回転部材の内外周面にネジ部を夫々形成して、上側に配置されたタイロッドのネジ部を接続部材のネジ部に螺合するとともに、下側に配置されたタイロッドのネジ部を回転部材の内周側のネジ部に螺合する一方、回転部材の外周側のネジ部をスリーブのネジ部に螺合している。
【０００９】
そして、木材の収縮等が発生すると、トーションバネの付勢力によって回転部材がスリーブ内に回転しながら進入し、この回転部材の進入に伴って下側に配置されたタイロッドがスリーブ内に進入するため、木材の収縮等に合わせてタイロッドに螺合されたナットを移動させることが可能となっている。その結果、梁等とナットとの間に隙間が生じるのを抑制してタイロッドの浮き上がり防止機能を発揮させることができるので、地震等による耐力壁の浮き上がりを防止することができる。
【先行技術文献】
【特許文献】
【００１０】
【特許文献１】特表２０１０−５２３９１７号公報
【発明の概要】
【発明が解決しようとする課題】
【００１１】
ところが、特許文献１に記載の回転部材では、内外周面のネジ部の捩れ方向が同じであるので、回転部材がスリーブに対して相対移動した移動量だけしかタイロッドをスリーブ内に進入させることができず、タイロッドの進入量（移動量）を十分に確保するためには、回転部材及びスリーブのネジ部の長さを大きくする必要があった。その結果、回転部材及びスリーブの軸方向の長さが大きくなってしまい、カプラーの大型化を招いてしまうため、施工スペースの確保が煩雑になるとともに、カプラーの施工性及び運搬性が悪かった。
【００１２】
本発明は、このような観点から創案されたものであり、小型化を図れるカプラーを提供することを課題とする。
【課題を解決するための手段】
【００１３】
前記課題を解決するため本発明は、一対のタイロッドの端部同士を連結するカプラーであって、前記一方のタイロッドが接続される外筒部材と、前記他方のタイロッドが接続されるとともに、前記外筒部材に回転可能に挿入され、前記外筒部材の軸方向に沿って移動する内筒部材と、前記外筒部材に対して前記内筒部材を挿入方向に回転付勢する弾性部材と、を備え、前記外筒部材は、内周面に形成された第１雌ネジ部を有し、前記内筒部材は、外周面に形成され、前記外筒部材の前記第１雌ネジ部に螺合する第１雄ネジ部と、内周面に形成され、前記他方のタイロッドの外周面に形成された第２雄ネジ部が螺合する第２雌ネジ部と、を有し、前記第１雌ネジ部及び前記第１雄ネジ部は、前記第２雌ネジ部に対して捩れ方向が逆向きに形成されていることを特徴とする。
【００１４】
本発明によれば、内筒部材の第１雄ネジ部と外筒部材の第１雌ネジ部とが螺合するとともに、内筒部材の第２雌ネジ部と他方のタイロッドの第２雄ネジ部とが螺合することにより、木材の収縮等が発生すると、弾性部材の付勢力によって、内筒部材は、回転しながら外筒部材内に向かって相対移動し、外筒部材内に引き込まれることとなる。また、内筒部材の相対移動に伴って、他方のタイロッドは、外筒部材内に向かって相対移動し、外筒部材内に引き込まれることとなる。更に、第１雌ネジ部及び第１雄ネジ部は、第２雌ネジ部に対して捩れ方向が逆向きに形成されていることにより、内筒部材が回転しながら移動すると、他方のタイロッドは、内筒部材に対して外筒部材内に向かって相対移動し、内筒部材内に引き込まれることとなる。
【００１５】
つまり、本発明によれば、内筒部材が外筒部材に対して相対移動した移動量と、他方のタイロッドが内筒部材に対して相対移動した移動量の分だけ、他方のタイロッドを外筒部材内に引き込むことができるので、従来よりも第１雌ネジ部及び第１雄ネジ部の長さを短くして外筒部材及び内筒部材の軸方向の長さを抑えることが可能となる。これにより、カプラーの小型化を図ることができるので、施工スペースの確保が容易になるとともに、カプラーの施工性及び運搬性を向上させることができる。
【００１６】
また、本発明は、前記外筒部材は、軸方向に交差する方向に沿って貫通する貫通孔を更に有し、前記貫通孔に挿脱可能に構成され、前記外筒部材の内部に突出する係止部材を更に備え、前記係止部材は、前記内筒部材及び前記他方のタイロッドの軸方向一端に当接して前記外筒部材に対する相対移動を規制する構成とするのが好ましい。
【００１７】
かかる構成によれば、係止部材は、外筒部材に対する内筒部材の相対移動（カプラーの作動）を規制する機能と、カプラーに他方のタイロッドを取り付ける際、他方のタイロッドの相対移動を規制する機能の両方を兼ねることができる。特に、他方のタイロッドを内筒部材内に挿入したときに他方のタイロッドの先端位置（軸方向一端）が外側から見えなくても、他方のタイロッドが係止部材に当接して相対移動が規制されるので、他方のタイロッドの位置決めを容易かつ正確に行うことができ、施工性を向上させることができる。
【００１８】
また、本発明は、前記外筒部材の外周面には、前記係止部材を外方から覆う被覆部材が設けられているように構成するのが好ましい。
【００１９】
本発明のカプラーは、作業者が貫通孔から係止部材を抜脱すると作動状態になる構造になっているので、施工時に係止部材の抜き忘れが発生する虞がある。そこで、係止部材を外方から覆う被覆部材が外筒部材の外周面に設けられていることにより、被覆部材は、係止部材が抜脱されているか否かを判断する目印となるので、係止部材の抜き忘れを抑制することができる。
【００２０】
また、本発明は、前記内筒部材の前記第１雄ネジ部及び前記第２雌ネジ部は、同一ピッチで形成されているように構成するのが好ましい。
【００２１】
かかる構成によれば、内筒部材の第１雄ネジ部及び第２雌ネジ部は、同一ピッチで形成されていることにより、内筒部材が外筒部材に対して相対移動した移動量と、他方のタイロッドが内筒部材に対して相対移動した移動量とを等しくすることができるので、内筒部材をスムーズに回転させることができる。
【００２２】
また、本発明は、前記第１雌ネジ部及び前記第１雄ネジ部は、左ネジで形成され、前記第２雌ネジ部は、右ネジで形成されているように構成するのが好ましい。
【００２３】
既存の鋼棒（ボルト）の雄ネジ部は、右ネジで形成されているところ、かかる構成によれば、タイロッドの第２雄ネジ部が螺合する内筒部材の第２雌ネジ部を右ネジで形成することにより、既存の鋼棒（ボルト）の態様を変更することなくタイロッドとして使用できるので、汎用性が高い。
【発明の効果】
【００２４】
本発明によれば、小型化を図れるカプラーを提供することができる。
【図面の簡単な説明】
【００２５】
【図１】（ａ）は、本発明の実施形態に係るカプラーを備えた建物を示す概略斜視図であり、（ｂ）は、（ａ）のＡ部拡大図である。
【図２】本発明の実施形態に係るカプラーを示す側面図である。
【図３】本発明の実施形態に係るカプラーを示す断面図である。
【図４】図３のＢ部拡大図である。
【図５】本発明の実施形態に係るカプラーの動作を説明するための断面図であり、（ａ）は、不作動状態を示す断面図、（ｂ）は、作動状態を示す断面図である。
【図６】（ａ）は、変形例に係るカプラーを示す側面図であり、（ｂ）は、変形例に係るカプラーを示す断面図である。
【発明を実施するための形態】
【００２６】
本発明の実施形態に係るカプラーについて図面を参照して詳細に説明する。説明において、同一の要素には同一の符号を付し、重複する説明は省略する。
【００２７】
図１（ａ）は、本発明の実施形態に係るカプラーを備えた建物を示す概略斜視図であり、図１（ｂ）は、（ａ）のＡ部拡大図である。
図１（ａ）に示すように、建物１００は、断面視して逆Ｔ字状の基礎７０と、基礎７０上に設置された土台７２と、土台７２上に設置された構造壁７４と、を備える。本実施形態において、建物１００は、木造３階建て住宅とされているが、例えば、木造２階建て住宅や木造４階建て住宅等に本発明を適用してもよい。また、基礎７０は、布基礎で構成されているが、ベタ基礎で構成されてもよい。
【００２８】
構造壁７４は、下枠７６と、下枠７６上に立設された柱７８と、柱７８の柱頭部を繋ぐ上枠８０と、上枠８０上に設置された頭繋ぎ８２と、から主に構成されており、上下方向に沿って複数（３つ）設けられている。構造壁７４同士の間には、梁８４が夫々設置されている。下枠７６、上枠８０、頭繋ぎ８２、及び、梁８４には、貫通孔（図示省略）が夫々穿設されており、かかる貫通孔には、タイロッドＴが挿入されている。
【００２９】
タイロッドＴは、例えば、ＰＣ鋼棒（ＳＢＰＲ）等で構成された部材であって、上下に複数（４つ）に分割されて構成されている。最も下側に配置されたタイロッドＴは、カプラーＣを介してアンカーボルト８６に連結されている。アンカーボルト８６の下端側は、基礎７０に埋設される一方、上端側は、土台７２及び下枠７６を貫通して下枠７６から上方に突出している。
【００３０】
最も上側に配置されたタイロッドＴは、ホールダウン金物８８を介して最上階の柱７８に固定されている。また、タイロッドＴには、図１（ｂ）に示すように、座金９０及びナット９２が挿通されており、ナット９２を締める付けることによって座金９０が下枠７６に当接している。このような構造により、タイロッドＴによって柱７８及び梁８４の浮き上がりを防止することができる。
【００３１】
各タイロッドＴ，Ｔ同士は、カプラーＣを介して連結されている。本実施形態において、下から２つ目のカプラーＣは、本発明のトーションバネ３（図２参照）を備えたカプラーで構成され、その他のカプラーＣは、トーションバネ３を備えない従来公知のカプラーで構成されている。
【００３２】
次に、本発明の特徴部分であるトーションバネ３を備えたカプラーＣについて、図２乃至図４を参照して詳しく説明する。図２は、本発明の実施形態に係るカプラーを示す側面図である。図３は、本発明の実施形態に係るカプラーを示す断面図である。図４は、図３のＢ部拡大図である。図３では、説明の便宜上、粘着テープ５を省略して描いている。
【００３３】
なお、以下の説明において、カプラーＣを挟んで下側に配置されたタイロッドＴを「タイロッドＴ１」といい、カプラーＣを挟んで上側に配置されたタイロッドＴを「タイロッドＴ２」という。タイロッドＴ１の外周面には、雄ネジ部Ｔａが螺刻され、タイロッドＴ２の外周面には、雄ネジ部Ｔｂが螺刻されている。雄ネジ部Ｔｂは、特許請求の範囲でいう「第２雄ネジ部」を構成している。
【００３４】
カプラーＣは、図２及び図３に示すように、一対のタイロッドＴ１，Ｔ２の端部同士を連結する部材であって、スリーブ１と、インサート２と、トーションバネ３と、係止ネジ４と、粘着テープ５と、を備える。
【００３５】
＜スリーブ＞
外筒部材たるスリーブ１は、図３に示すように、上下端が開口する略円筒状の金属製部材である。スリーブ１は、軸方向（上下方向）に沿って貫通形成された第１挿入孔１１と、上端側に設けられ、軸方向に直交する方向に沿って貫通形成された第２挿入孔１２と、下端側に設けられ、軸方向に直交する方向に沿って凹設形成された取付穴１３と、下端側外周面に設けられ、他の部位と比較して所定長だけ縮径して形成された被係合部１４と、を有する。
【００３６】
第１挿入孔１１は、スリーブ１の上端から下端に向けて軸方向に沿って一定の内径に形成された大径部１１ａと、大径部１１ａよりも内径が小さく形成され、スリーブ１の下端から上端に向けて軸方向に沿って一定の内径に形成された小径部１１ｂと、軸方向に直交する方向に延在して、大径部１１ａと小径部１１ｂとを繋ぐ段差部１１ｃと、から構成されている。
【００３７】
大径部１１ａは、インサート２が挿入されて螺合する部位である。大径部１１ａには、雌ネジ部１１ｄが上端から第２挿入孔１２の下縁付近に亘って螺刻されている。雌ネジ部１１ｄは、特許請求の範囲でいう「第１雌ネジ部」を構成している。
【００３８】
小径部１１ｂは、下側に配置されたタイロッドＴ１の上端側が挿入されて螺合する部位である。小径部１１ｂには、雌ネジ部１１ｅが下端から上端付近に亘って螺刻されている。この場合、タイロッドＴ１は、雄ネジ部Ｔａを小径部１１ｂの雌ネジ部１１ｅに螺合することによって、スリーブ１に連結されている。また、小径部１１ｂには、ネジ山が形成されていない非ネジ部１１ｆが雌ネジ部１１ｅの上端に連続して設けられている。この非ネジ部１１ｆを設けることにより、タイロッドＴ１の大径部１１ａへの進入（突出）を抑制してタイロッドＴ２との接触を防止できるので、タイロッドＴ２の下方移動が妨げられずに済む。更に、スリーブ１の回り止めとタイロッドＴ１の位置決めも行うことができる。
【００３９】
貫通孔たる第２挿入孔１２は、係止ネジ４が挿入される部位である。第２挿入孔１２は、スリーブ１の内部（大径部１１ａ）と外部とを貫通するように設けられている。
【００４０】
取付穴１３は、トーションバネ３の下端側が挿入保持される部位である。取付穴１３は、スリーブ１のうち小径部１１ｂに対応する外周面に設けられている。
【００４１】
被係合部１４は、後記するようにトーションバネ３に付勢力（緊張）を付与する際やインサート２を上方に移動させる際に、スパナ（図示省略）に掴まれる部位である。
【００４２】
＜インサート＞
内筒部材たるインサート２は、図３に示すように、上下端が開口する略円筒状の金属製部材である。インサート２は、スリーブ１内に回転可能に挿入保持され、軸方向に沿って移動するように構成されている。インサート２は、挿入部２１と、挿入部２１の上端外周面から径方向外側に突出形成された鍔部２２と、軸方向に沿って貫通形成された第３挿入孔２３と、上端側に設けられ、軸方向に直交する方向に沿って形成された取付穴２４と、を有する。
【００４３】
挿入部２１は、スリーブ１の大径部１１ａに挿入されて螺合する部位である。挿入部２１の外周面には、雄ネジ部２１ａが下端から鍔部２２付近に亘って螺刻されている。インサート２は、雄ネジ部２１ａをスリーブ１の雌ネジ部１１ｄに螺合することによって、スリーブ１に連結されている。雄ネジ部２１ａは、特許請求の範囲でいう「第１雄ネジ部」を構成している。
【００４４】
鍔部２２は、スリーブ１の大径部１１ａの内径よりも大きく形成され、インサート２の全体がスリーブ１内に進入するのを防止するストッパ部として機能する。鍔部２２には、後記するようにトーションバネ３に付勢力（緊張）を付与する際やインサート２を上方に移動させる際に、スパナ（図示省略）に挟み込まれて掴まれる被係合部が設けられる。被係合部は、鍔部２２の外周面に対向するように形成された一対の平面状部位から構成される。
【００４５】
第３挿入孔２３は、インサート２の全長に亘って形成され、上側に配置されたタイロッドＴ２の下端側が挿入されて螺合する部位である。第３挿入孔２３には、雌ネジ部２３ａが上端から下端に亘って螺刻されている。この場合、タイロッドＴ２は、雄ネジ部Ｔｂを第３挿入孔２３の雌ネジ部２３ａに螺合することによって、インサート２に連結されている。雌ネジ部２３ａは、特許請求の範囲でいう「第２雌ネジ部」を構成している。
【００４６】
取付穴２４は、トーションバネ３の上端側が挿入保持される部位である。取付穴２４は、鍔部２２の外周面に設けられている。
【００４７】
本実施形態において、スリーブ１の雌ネジ部１１ｄ及びインサート２の雄ネジ部２１ａは、左ネジで形成される一方、インサート２の雌ネジ部２３ａは、右ネジで形成されている。つまり、スリーブ１の雌ネジ部１１ｄ及びインサート２の雄ネジ部２１ａは、インサート２の雌ネジ部２３ａに対して捩れ方向が逆向きに形成されている。なお、タイロッドＴ１の雄ネジ部Ｔａ、タイロッドＴ２の雄ネジ部Ｔｂ、及び、スリーブ１の雌ネジ部１１ｅは、右ネジで形成されている。
【００４８】
また、図４に示すように、雄ネジ部２１ａのピッチＬ１、雌ネジ部２３ａのピッチＬ２、雌ネジ部１１ｄのピッチＬ３、及び、雄ネジ部ＴｂのピッチＬ４は、同一ピッチで形成されている。これにより、カプラーＣの作動時において、インサート２がスリーブ１に対して相対移動した移動量と、タイロッドＴ２がインサート２に対して相対移動した移動量とを等しくすることができるので、インサート２をスムーズに回転させることができる。
【００４９】
ちなみに、本実施形態において、スリーブ１及びインサート２は、例えば、焼き入れを施したＳ４５Ｃ等の炭素鋼で構成されている。これにより、スリーブ１及びインサート２の強度が高まるので、スリーブ１及びインサート２の外径を縮径することが可能となり、スリーブ１及びインサート２の径方向の小型化に寄与することができる。
【００５０】
＜トーションバネ＞
弾性部材たるトーションバネ３は、図２及び図３に示すように、スリーブ１の外周面に装着され、スリーブ１に対してインサート２を挿入方向（左回り、反時計方向）に回転付勢する部材である。トーションバネ３の上端側は、インサート２の取付穴２４に挿入保持され、下端側は、スリーブ１の取付穴１３に挿入保持されている。
【００５１】
＜係止ネジ＞
係止部材たる係止ネジ４は、図３に示すように、スリーブ１の第２挿入孔１２に挿脱可能に設けられ、インサート２の下方移動（カプラーＣの作動）を規制する機能と、タイロッドＴ２の下方移動を規制する機能とを兼ね備える。係止ネジ４は、第２挿入孔１２に挿入されている状態で、大径部１１ａの内部に突出している。これにより、係止ネジ４がインサート２及びタイロッドＴ２の下端に当接して、インサート２の回り止めとタイロッドＴ２の位置決めを行うことができる。
【００５２】
特に、係止ネジ４を第２挿入孔１２に挿入することによって、タイロッドＴ２をインサート２内に挿入したときにタイロッドＴ２の下方位置が外側から見えなくても、タイロッドＴ２が係止ネジ４に当接して下方移動が規制されるので、タイロッドＴ２の位置決めを容易かつ正確に行うことができ、施工性を向上させることができる。なお、係止ネジ４を第２挿入孔１２から引き抜くと、トーションバネ３の付勢力が開放されてインサート２の下方移動が許容されることとなる。
【００５３】
＜粘着テープ＞
被覆部材たる粘着テープ５は、図２に示すように、スリーブ１の外周面に巻き付けられ、係止ネジ４の頭部を外方から覆う部材である。これにより、粘着テープ５は、係止ネジ４が抜脱されているか否かを判断する目印となるので、係止ネジ４の抜き忘れを抑制することができる。
【００５４】
本発明の実施形態に係るカプラーＣは、基本的には以上のように構成されるものであり、次に、図３を参照して、本発明の実施形態に係るカプラーＣの組付工程の一例について説明する。
【００５５】
はじめに、トーションバネ３の下端側をスリーブ１の取付穴１３に挿入する。続いて、インサート２の雄ネジ部２１ａをスリーブ１の雌ネジ部１１ｄに螺合して両者を連結する。そして、トーションバネ３の上端側をインサート２の取付穴２４に挿入する。なお、スリーブ１及びインサート２を連結した後、トーションバネ３を装着してもよい。
【００５６】
続いて、スパナを用いてインサート２の鍔部２２を掴むとともに、別のスパナを用いてスリーブ１の被係合部１４を掴んでインサート２を右回り（時計方向）に回す。これにより、インサート２がスリーブ１に対して上方に移動するとともに、トーションバネ３がねじられて左回りの付勢力がトーションバネ３に付与される。
【００５７】
続いて、インサート２が第２挿入孔１２よりも上方に移動したときに、スリーブ１の第２挿入孔１２に係止ネジ４を挿入する。
【００５８】
そして、スパナを離すと、トーションバネ３の付勢力によってインサート２が下方に移動した後、係止ネジ４に当接して静止される。
【００５９】
最後に、係止ネジ４の頭部を外方から覆うようにしてスリーブ１の外周面に粘着テープ５を巻き付ける。
【００６０】
次に、このようにして組み付けられたカプラーＣにタイロッドＴ１，Ｔ２を連結する工程について説明する。
【００６１】
はじめに、下側に配置されたタイロッドＴ１の雄ネジ部Ｔａをスリーブ１の雌ネジ部１１ｅに螺合することによって、両者を連結する。
【００６２】
続いて、上側に配置されたタイロッドＴ２の雄ネジ部Ｔｂをインサート２の雌ネジ部２３ａに螺合することによって、両者を連結する。このとき、タイロッドＴ２の下端が係止ネジ４に当接するまでタイロッドＴ２をねじ込む。
【００６３】
最後に、粘着テープ５を外すとともに、ドライバを用いてスリーブ１の第２挿入孔１２から係止ネジ４を抜き取る。係止ネジ４の抜き取り作業は、構造壁７４や屋根（図示省略）等の設置後であって、かつ、内装作業を行う直前に行うことが望ましい。
【００６４】
ちなみに、タイロッドＴ１，Ｔ２の連結前に誤って係止ネジ４を抜いてしまった場合には、スパナを用いてインサート２の鍔部２２を掴むとともに、別のスパナを用いてスリーブ１の被係合部１４を掴んでインサート２を右回りに回して、インサート２をスリーブ１に対し上方に移動させる。続いて、インサート２が第２挿入孔１２よりも上方に移動したときに、スリーブ１の第２挿入孔１２に係止ネジ４を挿入する。
【００６５】
そして、スパナを離すと、トーションバネ３の付勢力によってインサート２が下方に移動した後、係止ネジ４に当接して静止される。これにより、施工現場において、カプラーＣを元の状態（不作動状態）に戻すことができる。また、カプラーＣを作動状態から不作動状態に容易に戻すことができるので、カプラーＣの再利用も実現することができる。
【００６６】
次に、図５を参照して、本発明の実施形態に係るカプラーＣの動作について説明する。なお、図５は、本発明の実施形態に係るカプラーの動作を説明するための断面図であり、（ａ）は、不作動状態を示す断面図、（ｂ）は、作動状態を示す断面図である。
【００６７】
柱７８や梁８４等の木材（図１参照）の収縮等が発生していないときは、タイロッドＴ２は、下枠７６や梁８４等に係止されるので、下方に移動することができない。そのため、図５（ａ）に示すように、インサート２も下方に移動することができず、インサート２は回転しない。
【００６８】
一方、柱７８や梁８４等の木材の収縮等が発生すると、タイロッドＴ２の下枠７６や梁８４等に対する係止（ナット９２）が緩むので、タイロッドＴ２は、下方に移動することができる。そのため、図５（ｂ）に示すように、インサート２も下方に移動することが可能となり、トーションバネ３の付勢力によってインサート２は回転することとなる。
【００６９】
このとき、本実施形態では、スリーブ１の雌ネジ部１１ｄ及びインサート２の雄ネジ部２１ａは、左ネジで形成されているので、インサート２は、左回りに回転しながらスリーブ１に対して相対的に下方移動し、スリーブ１内に引き込まれることとなる。また、インサート２の下方移動に伴って、タイロッドＴ２は、スリーブ１に対して相対的に下方移動し、スリーブ１内に引き込まれることとなる。
【００７０】
更に、本実施形態では、インサート２の雌ネジ部２３ａ及びタイロッドＴ２の雄ネジ部Ｔｂは、右ネジで形成されているので、インサート２が左回りに回転すると、タイロッドＴ２は、インサート２に対して右回りに回転するのと同様の状態になる。その結果、タイロッドＴ２は、インサート２に対して相対的に下方移動し、インサート２内に引き込まれることとなる。
【００７１】
つまり、インサート２がスリーブ１に対して相対移動した移動量と、タイロッドＴ２がインサート２に対して相対移動した移動量の分だけ、タイロッドＴ２をスリーブ１内に引き込むことができる。
【００７２】
そして、タイロッドＴ２がスリーブ１内に引き込まれると、タイロッドＴ２に螺合されたナット９２（図１参照）が下方に移動することとなる。すなわち、木材の収縮等に合わせてナット９２が移動するので、下枠７６とナット９２との間に隙間が生じるのを抑制してタイロッドＴ２の浮き上がり防止機能を発揮させることができる。
【００７３】
以上説明した本実施形態によれば、図５（ａ），（ｂ）に示すように、インサート２がスリーブ１に対して相対移動した移動量と、タイロッドＴ２がインサート２に対して相対移動した移動量の分だけ、タイロッドＴ２をスリーブ１内に引き込むことができるので、従来よりも雌ネジ部１１ｄ及び雄ネジ部２１ａの長さを短くしてスリーブ１及びインサート２の軸方向の長さを抑えることが可能となる。これにより、カプラーＣの小型化を図ることができるので、施工スペースの確保が容易になるとともに、カプラーＣの施工性及び運搬性を向上させることができる。
【００７４】
本実施形態によれば、図３に示すように、係止ネジ４は、インサート２の下方移動（カプラーＣの作動）を規制する機能と、タイロッドＴ２の下方移動を規制する機能の両方を兼ねることができる。
特に、タイロッドＴ２をインサート２内に挿入したときにタイロッドＴ２の下方位置が外側から見えなくても、タイロッドＴ２が係止ネジ４に当接して下方移動が規制されるので、タイロッドＴ２の位置決めを容易かつ正確に行うことができ、施工性を向上させることができる。
【００７５】
本実施形態によれば、図２に示すように、粘着テープ５が係止ネジ４を外方から覆うようにしてスリーブ１の外周面に巻き付けられることにより、粘着テープ５は、係止ネジ４が抜脱されているか否かを判断する目印となるので、係止ネジ４の抜き忘れを抑制することができる。
【００７６】
本実施形態によれば、図４に示すように、雄ネジ部２１ａのピッチＬ１、雌ネジ部２３ａのピッチＬ２、雌ネジ部１１ｄのピッチＬ３、及び、雄ネジ部ＴｂのピッチＬ４は、同一で形成されていることにより、インサート２がスリーブ１に対して相対移動した移動量と、タイロッドＴ２がインサート２に対して相対移動した移動量とを等しくすることができるので、インサート２をスムーズに回転させることができる。
【００７７】
本実施形態によれば、タイロッドＴ２の雄ネジ部Ｔｂが螺合するインサート２の雌ネジ部２３ａを右ネジで形成することにより、既存の鋼棒（ボルト）の態様を変更することなくタイロッドとして使用できるので、汎用性が高い。
【００７８】
以上、本発明の好適な実施形態について、図面を参照して説明したが、本発明はこの実施形態に限定されるものではなく、本発明の主旨を逸脱しない範囲で適宜変更することができる。
【００７９】
本実施形態では、インサート２が上側に位置するようにカプラーＣを設置して、上側に配置されたタイロッドＴ２をインサート２に螺合したが、本発明はこれに限定されるものではなく、インサート２が下側に位置するようにカプラーＣを設置して、下側に配置されたタイロッドＴ１をインサート２に螺合してもよい。
【００８０】
本実施形態では、タイロッドＴ１とスリーブ１とを互いのネジ部Ｔａ，１１ｅを螺合させて接続したが、本発明はこれに限定されるものではなく、例えば、ネジ部Ｔａ，１１ｅを省略して溶接等の固定手段によってタイロッドＴ１とスリーブ１とを接続してもよい。
【００８１】
本実施形態では、スリーブ１の雌ネジ部１１ｄ及びインサート２の雄ネジ部２１ａは、左ネジで形成される一方、インサート２の雌ネジ部２３ａ及びタイロッドＴ２の雄ネジ部Ｔｂは、右ネジで形成されているが、本発明はこれに限定されるものではなく、スリーブ１の雌ネジ部１１ｄ及びインサート２の雄ネジ部２１ａは、右ネジで形成される一方、インサート２の雌ネジ部２３ａ及びタイロッドＴ２の雄ネジ部Ｔｂは、左ネジで形成されてもよい。
【００８２】
本実施形態では、インサート２において、雄ネジ部２１ａのピッチＬ１と雌ネジ部２３ａのピッチＬ２は、同一で形成されたが、本発明はこれに限定されるものではなく、雄ネジ部２１ａのピッチＬ１と雌ネジ部２３ａのピッチＬ２は、異なるように形成されてもよい。この場合、雌ネジ部１１ｄのピッチＬ３及び雄ネジ部ＴｂのピッチＬ４も適宜変更する。
【００８３】
本実施形態では、係止ネジ４によってインサート２及びタイロッドＴ２の下方移動を規制したが、本発明はこれに限定されるものではなく、例えば、図６（ａ），（ｂ）に示すような係止ピン６によってインサート２及びタイロッドＴ２の下方移動を規制してもよい。係止ピン６は、割りピンで構成されている。係止ピン６は、一端にピン孔６１を有しており、ピン孔６１には、リング状部材６２が挿通されている。この場合、粘着テープ５は、リング状部材６２を通すようにしてスリーブ１の外周面に巻き付けられる。
【００８４】
本実施形態では、粘着テープ５を用いて、係止ネジ４が抜脱されているか否かを判断する目印としたが、本発明はこれに限定されるものではなく、係止ネジ４が抜脱されているか否かを判断する目印となれば、いかなるものを用いてもよい。例えば、紐状部材を用いて、係止ネジ４の頭部を外方から覆うようにしてもよい。また、係止ネジ４の頭部の少なくとも一部を外方から覆うようにすればよい。
【符号の説明】
【００８５】
Ｃ      カプラー
１      スリーブ（外筒部材）
１１ｄ  雌ネジ部（第１雌ネジ部）
１２    第２挿入孔（貫通孔）
２      インサート（内筒部材）
２１ａ  雄ネジ部（第１雄ネジ部）
２３ａ  雌ネジ部（第２雌ネジ部）
３      トーションバネ（弾性部材）
４      係止ネジ（係止部材）
５      粘着テープ（被覆部材）
６      係止ピン（係止部材）
Ｌ１，Ｌ２  ピッチ
Ｔ（Ｔ１，Ｔ２）タイロッド
Ｔａ    雄ネジ部
Ｔｂ    雄ネジ部（第２雄ネジ部）
【図１】
2014020423.tif 000003
【図２】
2014020423.tif 000004
【図３】
2014020423.tif 000005
【図４】
2014020423.tif 000006
【図５】
2014020423.tif 000007
【図６】
2014020423.tif 000008